(57)【要約】【課題】肘掛部に設けたアームレストの高さ調整が安全且つ容易であり、アームレストをスライド可能に支持する支持体の取り外しも可能なポータブルトイレの肘掛部の提供を目的とする。【解決手段】ポータブルトイレの便器本体部の上面の側縁部に設けた高さ調整可能な肘掛部であって、肘掛部は、便器本体部の前後方向であって概ね水平方向に配置されるアームレストと、アームレストの下面側から垂下した支柱部を有し、便器本体部は、前記支柱部を内側に挿入し上下方向にスライド可能に支持する支持部と、アームレストの高さ調整をする操作部を有していることを特徴とする。【選択図】  図５
2010240167.tif 000002
【特許請求の範囲】
【請求項１】
ポータブルトイレの便器本体部の上面の側縁部に設けた高さ調整可能な肘掛部であって、
肘掛部は、便器本体部の前後方向であって概ね水平方向に配置されるアームレストと、アームレストの下面側から垂下した支柱部を有し、
便器本体部は、前記支柱部を内側に挿入し上下方向にスライド可能に支持する支持部と、アームレストの高さ調整をする操作部を有していることを特徴とするポータブルトイレの肘掛部。
【請求項２】
便器本体部は、便器本体側に形成した取付凹部と、前記支持部及び操作部を有するアームレスト支持体に分離可能であることを特徴とする請求項１記載のポータブルトイレの肘掛部。
【請求項３】
アームレスト支持体は、前記取付凹部を塞ぐカバー部を有していることを特徴とする請求項２記載のポータブルトイレの肘掛部。
【請求項４】
支柱部は上下方向に所定の間隔を隔てて複数のロック孔を有し、
操作部は支柱部に設けたロック孔内に突出する方向に付勢されたロック部材と当該ロック部材を没入させる手段を有していることを特徴とする請求項１〜３のいずれかに記載のポータブルトイレの肘掛部。
【請求項５】
アームレスト支持体は、カバー部の下面側から便器本体部側に突出した取付片及び当該取付片に設けた取付孔を有し、便器本体部側には前記取付片の取付孔の位置に対応したジョイント部材挿入孔を有し、ジョイント部材を前記ジョイント部材挿入孔から差し込み、当該ジョイント部材の先端部を前記取付孔に挿入することでアームレスト支持体を便器本体部側に取り付けることを特徴とする請求項２〜４のいずれかに記載のポータブルトイレの肘掛部。
【発明の詳細な説明】
【技術分野】
【０００１】
本発明は、一般室内で使用されるポータブルトイレに関し、特にポータブルトイレの肘掛部の構造に係る。
【背景技術】
【０００２】
ポータブルトイレは、病人、老人、身障者等の身体が不自由な人に使用され、介護用として使用されることも多い。
従って、使用する人の体型に合せてポータブルトイレに設けた肘掛部の高さが調整可能であることが要求される。
また、ポータブルトイレが介護用として用いられる場合に便器本体部をベッドに隣接配置しておき、ベッド側の肘掛部を取り外して使用できることも要求される。
このような事情から、肘掛部の着脱が容易で被介護者が誤って肘掛け高さを変えることなく、簡単な構造の高さ調整機構が望まれている。
特許文献１には、便器本体の上面両側に上下二段の肘掛けを設け、上段肘掛けが高さ調整可能になっていて、下段肘掛けの内部に係止ピンからなる上下操作手段を設けた肘掛け構造を開示する。
しかし、同公報に開示する肘掛構造は上段肘掛けの上部支柱に設けた係止孔が外部に露出しているので危険であり、また係止構造が複雑である。
【先行技術文献】
【特許文献】
【０００３】
【特許文献１】特開２００５−１１０８０５号公報
【発明の概要】
【発明が解決しようとする課題】
【０００４】
本発明は、肘掛部に設けたアームレストの高さ調整が安全且つ容易であり、アームレストをスライド可能に支持する支持体の取り外しも可能なポータブルトイレの肘掛部の提供を目的とする。
【課題を解決するための手段】
【０００５】
本発明に係るポータブルトイレの肘掛部は、ポータブルトイレの便器本体部の上面の側縁部に設けた高さ調整可能な肘掛部であって、肘掛部は、便器本体部の前後方向であって概ね水平方向に配置されるアームレストと、アームレストの下面側から垂下した支柱部を有し、便器本体部は、前記支柱部を内側に挿入し上下方向にスライド可能に支持する支持部と、アームレストの高さ調整をする操作部を有していることを特徴とする。
ここで、ポータブルトイレの奥行き方向を前後方向と表現する。
本発明は、アームレストの高さ調整をするための操作部を便器本体側に設けたことを特徴とするが、便器本体部は、便器本体側に形成した取付凹部と、前記支持部及び操作部を有するアームレスト支持体に分離可能であってもよく、この場合に、アームレスト支持体は、前記取付凹部を塞ぐカバー部を有するようにすることも可能である。
また、支柱部は上下方向に所定の間隔を隔てて複数のロック孔を有し、操作部は支柱部に設けたロック孔内に突出する方向に付勢されたロック部材と当該ロック部材を没入させる手段を有するようにしてもよい。
ロック部材は、支柱部をアームレストの前後２ヶ所に設けた場合に片方の支柱部のロック孔内にだけ突没する構造でも良いが、前後方向両方の支柱部にそれぞれ高さを対応させてロック孔を設け、両方のロック孔内に対向して突没するロック部材を設け、左右のロック部材を中央に寄せるように没入手段を設けると、ロック解除の操作が確実で被介護者が誤って操作するのを防止する。
【０００６】
ここで、アームレスト支持体は、カバー部の下面側から便器本体部側に突出した取付片及び当該取付片に設けた取付孔を有し、便器本体部側には前記取付片の取付孔の位置に対応したジョイント部材挿入孔を有し、ジョイント部材を前記ジョイント部材挿入孔から差し込み、当該ジョイント部材の先端部を前記取付孔に挿入することでアームレスト支持体を便器本体部に取り付けるようにしてもよい。
【発明の効果】
【０００７】
本発明に係るポータブルトイレの肘掛部にあっては、アームレストの下面側から垂下した支柱部と、当該支柱部を内側に挿入し上下方向にスライド可能に支持する支持部を便器本体側に有し、支柱部は上下方向に所定の間隔を隔てて複数のロック孔を有し、ロック孔内に突出する方向に付勢されたロック部材と当該ロック部材を没入させる手段を操作部に設けたのでアームレストの高さ調整が容易であり、且つ安全である。
また、便器本体側に設けた支持部及び操作部はアームレスト支持体として便器本体側から分離すると肘掛部をキット化でき、キット化すると便器本体から取り外し便器本体側の取付凹部を他のカバー部材で塞ぐのが容易になる。
本発明においては、ジョイント部材を引き抜くだけでアームレスト支持体の取り外しができ、逆にジョイント部を差し込むだけで便器本体部に取り付けることができる。
【図面の簡単な説明】
【０００８】
【図１】ポータブルトイレの外観斜視図を示す。
【図２】蓋部を２つ折りに後方側に回動させた状態を示す。
【図３】（ａ）はポータブルトイレの便器本体部から片方のアームレスト及びアームレスト支持体を取り出した状態を示し、（ｂ）はアームレストを示し、（ｃ）はアームレスト支持体を示し、（ｄ）は別のカバー部材を取り付けた状態を示し、（ｅ）はカバー部材をそれぞれ示す。
【図４】アームレストとアームレスト支持体をキットにし、便器本体側部に取り付ける手順を示す。
【図５】アームレスト支持体の高さ調整操作部及びジョイント部材付近の拡大図を示す。
【図６】（ａ）はロック部材を示し、（ｂ）はジョイント部材を示す。
【図７】ロック部の拡大断面図を示す。
【図８】ジョイント部の係止構造を示す。
【発明を実施するための形態】
【０００９】
ポータブルトイレ１は、図１及び図２に示すように便器本体部１０の中央部に便槽１１を備え、その上に便座１２を有する。
便器本体部１０の下面側には便器本体部１０を支える４本の脚部５０が連結されている。
便座の上部を覆うように２つ折り可能な蓋部４０を有し、蓋部４０は前方蓋４２と後方蓋４１とがヒンジ部材で山折りになるように連結され、後方蓋４１は後部が便器本体部の後部に枢着されている。
便器本体部１０の後方には着脱可能に背凭れ部２０を有し、この背凭れ部２０は左右の立上げ部２１の上部を背当て部２２で連結した開口部Ｓを有する構造になっている。
これにより、２つ折りにした蓋部はこの開口部Ｓを経由して、後方に回動するので背凭れ部の後方から開口部Ｓを経由して介護することができる。
【００１０】
便器本体１０の上面の両縁部には、肘掛部３０を有し、この肘掛部３０は図３に示すようにアームレスト３１と、便器本体部の一部を構成しつつ便器本体部側から分離可能なアームレスト支持体３０ａからなる。
【００１１】
便器本体部１０の前後方向であって、概ね水平に配置されたアームレスト３１は、このアームレスト３１の下面側前後から図５に示すように一対の支柱部３１ａ，３１ａを垂下させてある。
アームレスト３１と支柱部３１ａとの連結付近にはそれ以上、アームレスト３１が下がらないように、突起部３１ｂを有する。
アームレスト支持体３０ａは、内側に支柱部３１ａを上下にスライド可能に支持する支持部３２と操作部３６を有する。
一対の支持部３２は、断面円筒状であり、途中にカバー部３３を有し、このカバー部３３の下側に延在させた部分の支持部３２ａは便器本体部１０に設けた挿入筒１４ａ，１４ｂに差し込まれる。
この際にカバー部３３が便器本体部の凹部ｄをふさぐ。
【００１２】
カバー部３３の上面には、一対の支持部間にまたがる操作部３６を一体的に有する。
操作部３６は図５及び図７に示すように内部にロック部材８０を配設してあり、操作部３６の側壁に設けた操作開口部３４からロック部材８０をスライド操作する。
ロック部材８０は本体部８１の先端に、支持部３２及び支柱部３１ａに設けた複数段のロック孔３１ｃ内に向けて突没するロックピン８３を有する。
操作部３６は内部に弾性材８５を配設してあり、弾性材８５の後端がケース部８４に当接し、先端がロックピン８３を押出す方向に当接していて、ロック部材８０のロックピン８３と反対側は操作爪８２を有し、この操作爪８２がロックピン８３とつながっていて図５に矢印で示すように左右の操作爪８２，８２を中央によるように摘むとロックピン８３が投入する。
これにより、ロックピン８３が支柱部３１ａに設けてあるロック孔３１ｃから外れ、アームレスト３１を上下にスライドし高さ調整できる。
【００１３】
アームレスト支持体３０ａは、カバー部３３の下側から便器本体部に向けて突出させた取付片３５を有し、この取付片３５には取付孔３５ａを有する。
便器本体部１０の側面１０ａには、ジョイント部材挿入孔１５を有し、このジョイント部材挿入孔１５から図６（ｂ）に示したジョイント部材９０を差し込み可能になっている。
ジョイント部材９０は弾性変形するアーム部９２，９２の先に摘み部９１，９１を有し、この摘み部を相互に摘むと係止爪９２ａが内側により、摘み部９１，９１から指先を離すと係止爪９２ａ，９２ａが外側に広がり図８に示すように便器本体部のジョイント部材挿入孔の端部に係止するようになっている。
ジョイント部材９０を便器本体部側から差し込むと、ジョイント部材９０の先端部９３が取付孔３５ａを挿通し、便器本体部１０の内側の係止孔１０ｂに係止するようになっている。
これにより、アームレスト３１とアームレスト支持体３０ａの組み合わせでキット化された肘掛部がジョイント部材９０を差し込むだけで簡単に便器本体部側に取付固定でき、逆にジョイント部材９０を引き抜くだけで、取り外しができる。
アームレスト支持体３０ａを取り外した場合には、図３に示すように、別のカバー部材７０を便器本体部の凹部ｄに嵌着できる。
カバー部材７０は便器本体部の側縁部の上面デザインに合わせた面部材７１と便器本体部１０に設けた挿入筒１４ａ，１４ｂに差し込まれる差し込み部７２を有し、ジョイント部材９０を用いて固定する固定片７３を有する。
【符号の説明】
【００１４】
１        ポータブルトイレ
１０      便器本体部
１１      便槽
１２      便座
２０      背凭れ部
３０      肘掛部
３１      アームレスト
３１ａ    支柱部
３２      支持部
３３      カバー部
４０      蓋部
５０      脚部
７０      カバー部材
【図１】
2010240167.tif 000003
【図２】
2010240167.tif 000004
【図３】
2010240167.tif 000005
【図４】
2010240167.tif 000006
【図５】
2010240167.tif 000007
【図６】
2010240167.tif 000008
【図７】
2010240167.tif 000009
【図８】
2010240167.tif 000010